(57)【要約】【課題】ゴルフクラブセットにおいて、従来のゴルフクラブセットに比べて、ゴルフボール打球時にゴルファが手に受ける感覚の番手間の差を小さくする。【解決手段】ゴルフクラブセット１０は、ロフト角度が１８〜４１度の＃３〜＃８のアイアンゴルフクラブをロフト角度が最小の番手から順番に１から始まる連続する自然数Ｘで表し、かつ各ゴルフクラブを構成するソケット部の長さをＬ（ｍｍ）とし、この群の全てのゴルフクラブについて、自然数Ｘの番号に対するソケット部の長さＬ（ｍｍ）の分布を回帰直線で回帰したとき、この回帰直線の傾きが−０．５（ｍｍ／番号）以下となっている。【選択図】図１
2006254983.tif 000002
【特許請求の範囲】
【請求項１】
ロフト角度が互いに異なる複数本のゴルフクラブからなるゴルフクラブセットであって、
前記複数本のゴルフクラブのうち少なくとも３本のゴルフクラブは、ロフト角度が１８〜４１度の範囲にあり、
これら少なくとも３本のゴルフクラブの群では、ゴルフクラブシャフトとゴルフクラブヘッドの装着部に設けられるソケット部の長さが異なっており、このソケット部の最長の長さと最短の長さの差が３ｍｍ以上あることを特徴とするゴルフクラブセット。
【請求項２】
ロフト角度が１８度〜４１度の範囲にある前記少なくとも３本のゴルフクラブの群は、前記ゴルフクラブの番手の順番および前記ゴルフクラブヘッドのロフト角度の少なくとも一方に対応して略線形的にソケット部の長さが変化するように設定されている請求項１に記載のゴルフクラブセット。
【請求項３】
ロフト角度が互いに異なる複数本のゴルフクラブからなるゴルフクラブセットであって、
前記複数本のゴルフクラブのうち少なくとも３本のゴルフクラブは、ロフト角度が１８〜４１度の範囲にあり、
これら少なくとも３本のゴルフクラブの群の全てのゴルフクラブをロフト角度が最小の番手から順番に１から始まる連続する自然数Ｘで表し、かつ各ゴルフクラブを構成するソケット部の長さをＬ（ｍｍ）とし、この群の全てのゴルフクラブについて、前記自然数Ｘの番号に対する前記ソケット部の長さＬ（ｍｍ）の分布を回帰直線で回帰したとき、この回帰直線の傾きが−０．５（ｍｍ／番号）以下であることを特徴とするゴルフクラブセット。
【請求項４】
ロフト角度が１８度〜４１度の範囲にある前記少なくとも３本のゴルフクラブの群の全てのゴルフクラブについて、前記自然数Ｘに対する前記ソケット部の長さＬ（ｍｍ）の分布を回帰直線で回帰したとき、前記ソケット部の長さＬ（ｍｍ）の推定誤差が０．５（ｍｍ）以下である請求項３に記載のゴルフクラブセット。
【請求項５】
前記少なくとも３本のゴルフクラブの群の全てのゴルフクラブをロフト角度が最小の番手から順番に１から始まる連続する自然数Ｘで表し、かつホーゼル長さをＨ（ｍｍ）としたとき、この群の全てのゴルフクラブについて、前記自然数Ｘの番号に対する前記ホーゼル長さＨ（ｍｍ）の分布を回帰直線で回帰したとき、この回帰直線の傾きが０．６（ｍｍ／番号）以上である請求項３又は４に記載のゴルフクラブセット。
【請求項６】
ロフト角度が互いに異なる複数本のゴルフクラブからなるゴルフクラブセットであって、
前記複数本のゴルフクラブのうち少なくとも３本のゴルフクラブは、ロフト角度が１８〜４１度の範囲にあり、
これら少なくとも３本のゴルフクラブの群では、ゴルフクラブシャフトとゴルフクラブヘッドの装着部に設けられるソケット部の長さが異なっており、ゴルフクラブのロフト角度をθ（度）で表し、かつ各ゴルフクラブを構成するソケット部の長さをＬ（ｍｍ）とし、この群の全てのゴルフクラブについて、前記ロフト角度θに対する前記ソケット部の長さＬの分布を回帰直線で回帰したとき、この回帰直線の傾きが−０．１２５（ｍｍ／度）以下であることを特徴とするゴルフクラブセット。
【請求項７】
ロフト角度が１８度〜４１度の範囲にある前記少なくとも３本のゴルフクラブの群の全てのゴルフクラブについて、前記ロフト角度θに対する前記ソケット部の長さＬ（ｍｍ）の分布を回帰直線で回帰したとき、前記ソケット部の長さＬ（ｍｍ）の推定誤差が０．５（ｍｍ）以下である請求項６に記載のゴルフクラブセット。
【請求項８】
ロフト角度が１８度以上４１度以下の範囲にある前記少なくとも３本のゴルフクラブの群の全てのゴルフクラブのロフト角度をθで表し、かつホーゼル長さをＨ（ｍｍ）としたとき、この群の全てのゴルフクラブについて、前記ロフト角度θに対する前記ホーゼル長さＨ（ｍｍ）の分布を回帰直線で回帰したとき、この回帰直線の傾きが０．１５（ｍｍ／度）以上である請求項６又は７記載のゴルフクラブセット。
【発明の詳細な説明】
【技術分野】
【０００１】
本発明は、ロフト角度が互いに異なる複数本のゴルフクラブからなるゴルフクラブセットであり、ゴルフクラブシャフトとゴルフクラブヘッドの装着部に設けられるソケット部の長さを調整したゴルフクラブセットに関する。
【背景技術】
【０００２】
アイアンゴルフクラブセットは、各番手毎にロフト角度が異なった複数本のアイアンゴルフクラブから構成される。ゴルファは、ロフト角度の異なる番手を使い分けて一定のゴルフスウィングを行いゴルフボールを打球することにより、番手に応じた飛距離を実現させる。このため、ゴルフクラブの番手毎に、ゴルフボールを打球したときの感覚が変わることは、ゴルファが一定のゴルフスウィングをしていないのでは、といった余分な錯覚を与えることから好ましくない。
このため、ゴルフクラブセットにおいて、ゴルフボール打球時にゴルファが受ける感覚は、番手に拠らず一定であることが好ましい。
【０００３】
ゴルフボール打球時にゴルファが受ける感覚とは、ゴルフボールを打球するときに、ゴルフクラブシャフトを経由して伝わる手の衝撃である。一般に、番手が小さくなりロフト角度が小さくなるほど、ゴルフボールにスピンを掛けずに打球することから、手に受ける衝撃が大きくなる。
【０００４】
ところで、下記特許文献１には、番手の小さい方から大きいほうへ進むに従ってソール部の幅寸法を短くするとともに、ホーゼル部の高さを順次高くするゴルフクラブセットが開示されている。上記ゴルフクラブセットでは、番手が大きくなるにつれソール部の幅寸法を短くするとともに、ホーゼル部の高さを長くすることにより、ロングアイアンにおいてソール幅が広くなりゴルフクラブヘッドの重心位置も低くすることができ、５番ウッドの特性に近似することができるとしている。
しかし、特許文献１では、ロングアイアンの特性を５番ウッドの特性に近似させることはできても、ゴルフボール打球時にゴルファが受ける感覚を、番手に拠らず一定とすることはできない。
【０００５】
また、下記特許文献２では、ロングアイアン，ミドルアイアン及びショートアイアンからなるゴルフクラブセットにおいて、各アイアンのヘッドのホーゼル部の長さ寸法を、番手の小さい方から大きい方へ順次長く成形し、各ヘッドのバック側上部に、番手の小さい方から大きい方へヘッドの中間部に向けてウェイト部を順次延設すると共に、各ヘッドの中間部の肉厚を略均一に成形したゴルフクラブセットを提案している。これにより、ロングアイアンでの飛距離の確保とショートアイアンでの打球の方向性のコントロールのし易さを図りつつ、ロングアイアンでのスライスとショートアイアンでのフックを防止したゴルフクラブセットを提案している。
【０００６】
このように、アイアンゴルフクラブセットにおける各ゴルフクラブの特性、又打ち出されたゴルフボールの球筋の特性を調整することは可能であるが、ゴルフボールの打球時にゴルファが受ける感覚を、番手に拠らず一定とするゴルフクラブセットは見当たらない。
【０００７】
【特許文献１】特開昭６２−１３３９７９号公報
【特許文献２】実開平７−１７２６４号公報
【発明の開示】
【発明が解決しようとする課題】
【０００８】
そこで、本発明は、ロフト角度が互いに異なる複数本のゴルフクラブからなるゴルフクラブセットにおいて、従来のゴルフクラブセットに比べて、ゴルフボール打球時にゴルファが手に受ける感覚の番手間の差を小さくするゴルフクラブセットを提供することを目的とする。
【課題を解決するための手段】
【０００９】
本発明は、ロフト角度が互いに異なる複数本のゴルフクラブからなるゴルフクラブセットであって、前記複数本のゴルフクラブのうち少なくとも３本のゴルフクラブは、ロフト角度が１８〜４１度の範囲にあり、これら少なくとも３本のゴルフクラブの群では、ゴルフクラブシャフトとゴルフクラブヘッドの装着部に設けられるソケット部の長さが異なっており、このソケット部の最長の長さと最短の長さの差が３ｍｍ以上あることを特徴とするゴルフクラブセットを提供する。
【００１０】
その際、ロフト角度が１８度〜４１度の範囲にある前記少なくとも３本のゴルフクラブの群は、前記ゴルフクラブの番手の順番および前記ゴルフクラブヘッドのロフト角度の少なくとも一方に対応して略線形的にソケット部の長さが変化するように設定されていることが好ましい。
【００１１】
又、本発明は、ロフト角度が互いに異なる複数本のゴルフクラブからなるゴルフクラブセットであって、前記複数本のゴルフクラブのうち少なくとも３本のゴルフクラブは、ロフト角度が１８〜４１度の範囲にあり、これら少なくとも３本のゴルフクラブの群の全てのゴルフクラブをロフト角度が最小の番手から順番に１から始まる連続する自然数Ｘで表し、かつ各ゴルフクラブを構成するソケット部の長さをＬ（ｍｍ）とし、この群の全てのゴルフクラブについて、前記自然数Ｘの番号に対する前記ソケット部の長さＬ（ｍｍ）の分布を回帰直線で回帰したとき、この回帰直線の傾きが−０．５（ｍｍ／番号）以下であることを特徴とするゴルフクラブセットを提供する。
【００１２】
その際、ロフト角度が１８度〜４１度の範囲にある前記少なくとも３本のゴルフクラブの群の全てのゴルフクラブについて、前記自然数Ｘに対する前記ソケット部の長さＬ（ｍｍ）の分布を回帰直線で回帰したとき、前記ソケット部の長さＬ（ｍｍ）の推定誤差が０．５（ｍｍ）以下であることが好ましい。
さらに、前記少なくとも３本のゴルフクラブの群の全てのゴルフクラブをロフト角度が最小の番手から順番に１から始まる連続する自然数Ｘで表し、かつホーゼル長さをＨ（ｍｍ）としたとき、この群の全てのゴルフクラブについて、前記自然数Ｘの番号に対する前記ホーゼル長さＨ（ｍｍ）の分布を回帰直線で回帰したとき、この回帰直線の傾きが０．６（ｍｍ／番号）以上であることが好ましい。
【００１３】
又、本発明は、ロフト角度が互いに異なる複数本のゴルフクラブからなるゴルフクラブセットであって、前記複数本のゴルフクラブのうち少なくとも３本のゴルフクラブは、ロフト角度が１８〜４１度の範囲にあり、これら少なくとも３本のゴルフクラブの群では、ゴルフクラブシャフトとゴルフクラブヘッドの装着部に設けられるソケット部の長さが異なっており、ゴルフクラブのロフト角度をθ（度）で表し、かつ各ゴルフクラブを構成するソケット部の長さをＬ（ｍｍ）とし、この群の全てのゴルフクラブについて、前記ロフト角度θに対する前記ソケット部の長さＬの分布を回帰直線で回帰したとき、この回帰直線の傾きが−０．１２５（ｍｍ／度）以下であることを特徴とするゴルフクラブセットを提供する。
【００１４】
その際、ロフト角度が１８度〜４１度の範囲にある前記少なくとも３本のゴルフクラブの群の全てのゴルフクラブについて、前記ロフト角度θに対する前記ソケット部の長さＬ（ｍｍ）の分布を回帰直線で回帰したとき、前記ソケット部の長さＬ（ｍｍ）の推定誤差が０．５（ｍｍ）以下であることが好ましい。又、ロフト角度が１８度以上４１度以下の範囲にある前記少なくとも３本のゴルフクラブの群の全てのゴルフクラブのロフト角度をθで表し、かつホーゼル長さをＨ（ｍｍ）としたとき、この群の全てのゴルフクラブについて、前記ロフト角度θに対する前記ホーゼル長さＨ（ｍｍ）の分布を回帰直線で回帰したとき、この回帰直線の傾きが０．１５（ｍｍ／度）以上であることが好ましい。
【発明の効果】
【００１５】
本発明では、ゴルフクラブセット中の少なくとも３本のゴルフクラブは、ロフト角度が１８〜４１度の範囲にあり、これら少なくとも３本のゴルフクラブの群ではソケット部の長さが異なっており、このソケット部の最長の長さと最短の長さの差を３ｍｍ以上とする。また、これら少なくとも３本のゴルフクラブの最小の番手から順番に１から始まる連続する自然数Ｘで表し、かつソケット部の長さをＬ（ｍｍ）とし、自然数Ｘの番号に対するソケット部の長さＬ（ｍｍ）の分布を回帰直線で回帰したとき、この回帰直線の傾きを−０．５（ｍｍ／番号）以下にする。また、ロフト角度θに対するソケット部の長さＬの分布を回帰直線で回帰したとき、この回帰直線の傾きを−０．１２５（ｍｍ／度）以下にする。このため、長さの異なるソケット部によるゴルフボール打球時の衝撃の吸収により、番手によって異なる打球時の感覚を従来に比べて小さくすることができる。
【発明を実施するための最良の形態】
【００１６】
以下、本発明のゴルフクラブセットについて、添付の図面を基に詳細に説明する。
図１は、本発明の実施形態に係るゴルフクラブセットの一例であるゴルフクラブセット１０を示す模式図である。
【００１７】
ゴルフクラブセット１０は、３番アイアン（Ａ３）から９番アイアン（Ａ９）、及びピッチングウェッジ（ＡＰ）、アプローチウェッジ（ＡＡ）、サンドウェッジ（ＡＳ）までの各番手のアイアン（Ａ３〜ＡＳ）１０本によって構成される。各アイアンは、ゴルフクラブシャフト１２の一端にグリップ１４を有し、他端にゴルフクラブヘッド１６を備える。ゴルフクラブヘッド１６は、このヒール側で上方に向けられて突設されたホーゼル部１８にソケット部２０を介してゴルフクラブシャフト１２に連結されている。
なお、ソケット部２０は、材質として特に限定されないが、例えばセルロイド、ＡＢＳ樹脂、アセタール樹脂、ポリ塩化ビニル樹脂、エチレン酢酸ビニル樹脂、フェノキシ樹脂、ポリアミドアロイ樹脂等の樹脂が用いられる。ソケット部２０とゴルフクラブシャフト１２との連結、固定は、特に限定されないが、例えば、ソケット部２０の内径をゴルフクラブシャフト１２の外径よりも小さくしておき圧入して固定される。或いは、接着剤により、さらにはこれらの組み合わせにより固定される。
【００１８】
ここで、番手とは、主にロフト角度の異なったゴルフクラブをロフト角度の順番に並べることのできるように、各ゴルフクラブに付与した数字（自然数）、文字、または記号等によって表されたロフト角度の順番に関する識別情報の内容であり、各番手のロフト角度は、一定、または概ね一定の間隔で当業者によって適宜設定されている。また、番手が大きいとは、ロフト角度が大きい番手を指す。
【００１９】
これらのアイアンＡ３〜ＡＳのロフト角度θは、例えば、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°と番手が大きくなるにつれ、ロフト角度θが大きくなっている。そして、ロフト角度θが１８°乃至４１°の番手は、Ａ３〜Ａ８の６本の番手となっている。なお、アイアンＡ３〜ＡＳのロフト角度は、Ａ３からＡ６までは３°の刻み幅で大きくなり、Ａ７からＡ９までは４°の刻み幅で大きくなり、ＡＰからＡＳまでは５°の刻み幅で大きくなっているが、アイアンＡ３〜ＡＳのロフト角度の刻み幅は、これに限定されず、３°または４°等の一定の刻み幅であってもよい。
また、グリップ１４の端部からゴルフクラブヘッド１６の下端までのゴルフクラブシャフトの長さは、番手が大きくなるにつれ次第に短くなっている。すなわち、番手が小さいものの方がゴルフクラブシャフト１２の長さが長く、ロフト角度が小さくなっている。
【００２０】
ゴルフクラブセット１０は、複数本のゴルフクラブのうち少なくとも３本のゴルフクラブは、ロフト角度が１８〜４１度の範囲にあり、これら少なくとも３本のゴルフクラブの群では、ゴルフクラブシャフトとゴルフクラブヘッドの装着部に設けられるソケット部２０の長さが異なっており、このソケット部２０の最長の長さと最短の長さの差が３ｍｍ以上あることを特徴とする。又、ソケット部２０の最長の長さと最短の長さの差の上限は、ゴルフクラブの外観的な要素を踏まえると３０ｍｍであることが好ましい。
このように、ロフト角度θの範囲を規定するのは、ロフト角度θが１８度未満のゴルフクラブは、打球時の衝撃を調和するよりも、より大きな飛距離を得る性能が要求されるゴルフクラブである。このため、より大きな飛距離を得るための設計が優先されるので、ゴルフクラブセット内において他のクラブに調和するような設計があまり要求されない。一方、ロフト角度θが４１度を超えるゴルフクラブは、打球時の衝撃を調和するよりも、スイング力を加減するコントロールショット又はアプローチショットを行うための機能が要求されるゴルフクラブである。このため、アプローチショットを行いやすいような設計が優先されるので、ゴルフクラブセット内において他のクラブに調和するような設計があまり要求されない。
【００２１】
なお、ゴルフクラブセット１０は、１０本のアイアンをゴルフクラブセットとしたものであるが、本発明のゴルフクラブセットには、アイアンゴルフクラブセットのみならず、ウッドゴルフクラブセット、ウッドゴルフクラブセットとアイアンゴルフクラブセットの境界を取り払ったようなゴルフクラブセット、ロングアイアンに相当するもののみのゴルフクラブセット、また、ウッドゴルフクラブとアイアンゴルフクラブの中間的性能を備えてどちらにも分類しがたいいわゆるユーティリティゴルフクラブを含めたゴルフクラブセット等、ロフト角度θが異なる複数本のゴルフクラブによって構成されるものも含まれる。
【００２２】
ここで、ロフト角度θは、図１中のアイアンＡ６について示されているように、シャフト軸Ｓとフェース面２２との成す角度であり、図２に示されるようなロフト角度測定器３０により測定される。
図２は、アイアンＡ６をロフト角度測定器３０に取り付けた例を示し、図３は、図２中のゴルフクラブヘッド１６の周辺を拡大して示している。
【００２３】
ロフト角度θの測定は、ゴルフクラブ（アイアンＡ６）をロフト角度測定器３０に取り付けた状態において、アイアンＡ６が基準面３２に対してライ角度通りに設置するようにライ角度調整部３３において取り付け角度が調整され、次いで、ロフト角度測定器３０に取り付けられたゴルフクラブ（アイアンＡ６）は、ソール部３４が基準面３２に接するように、かつ、フェース角度調整具３６の先端部３６ａにフェース面２２が密着するように、すなわち、フェース角が０°になるように、ゴルフクラブ（アイアンＡ６）がチャック部３８で固定される。
【００２４】
ここで、ライ角度通りに設置とは、スコアライン３５がフェース角度調整治具３６の先端部３６ａと平行になるように設置することをいう。また、スコアラインが直線でない等、スコアラインによる判別が困難な場合、ソール部３４が、図４のように、ソール部３４のトウ側（Toe）とヒール側（Heel）の間で凸状に丸くなっている場合、基準面３２とソール部３４の間に生じる隙間がトウ側とヒール側で略等しくなるように設置することをいう。
さらに、ソール部３４の凸状の部分が不明瞭であり、かつスコアラインが直線状でなく基準面３２との平行が判別できない場合、ライ角度は、１００−ゴルフクラブ長さ（インチ）の値として設定されてライ角度通りに設置される。例えば、３６インチのゴルフクラブ長さの場合、ライ角度を６４度（＝１００−３６）とする。なお、ゴルフクラブ長さは、ゴルフクラブヘッドにおけるソール面とネック部の背部の接点からグリップエンド（キャップの丸みを含まない）までの長さであり、例えば、株式会社鴨下精衡所製のクラブ・メジャーII等の測定器を用いて、社団法人日本ゴルフ用品協会が基準とするトラディショナル・スタンダード測定法により測定される。
【００２５】
その後、図５に示すように、ゴルフクラブヘッド１６のフェース面２２の基準面３２に垂直に立てた分度器４０を用いてロフト角度θが測定される。フェース面２２が平面の場合、上記測定によってロフト角度θが得られるが、フェース面２２が凸状に丸くなっている場合、図６に示すように、フェース面２２の中点Ｍに分度器４０の測定面が接するように当てて測定される。
ロフト角度θの測定は、上述のように、ゴルフクラブによって測定する他、ゴルフクラブヘッド単体にシャフトピンを差し込んで測定することも可能である。ゴルフクラブヘッド単体で測定して得られるロフト角度θの数値は、上述のゴルフクラブによって測定して得られるロフト角度θと実質的に同じである。
【００２６】
このような測定器は、市販されている公知のものであればよく、例えば、高爾夫球頭測度台（昇峰企業社製）、ゴルフクラブアングル測定器（ゴルフギャレーヂ社製）およびゴルフクラブゲージ（Ｇｏｌｆｓｍｉｔｈ社製）等が例示される。
【００２７】
こうして測定される上記ゴルフクラブセット１０のＡ３〜ＡＳの内、ロフト角度θが１８°乃至４１°の番手はＡ３〜Ａ８であるが、ゴルフクラブヘッドのロフト角度θが１８°乃至４１°のすべての番手、すなわち、Ａ３〜Ａ８のゴルフクラブは、後述するように、ゴルフクラブシャフトとゴルフクラブヘッドの装着部に設けられるソケット部２０の長さが異なっており、このソケット部２０の最長の長さと最短の長さの差が３ｍｍ以上となっている。しかも、ゴルフクラブの番手の順番および前記ゴルフクラブヘッドのロフト角度に対応して略線形的にソケット部２０の長さが変化するように設定されている。
【００２８】
ここで、略線形的とは、Ａ３〜Ａ８のゴルフクラブの群の全てのゴルフクラブをロフト角度が最小の番手から順番に１から始まる連続する自然数Ｘで表し、かつ各ゴルフクラブを構成するソケット部２０の長さをＬ（ｍｍ）とし、この群の全てのゴルフクラブについて、自然数Ｘに対するソケット部２０の長さＬ（ｍｍ）の分布を回帰直線で回帰したとき、ソケット部２０の長さＬ（ｍｍ）の推定誤差は絶対値で０．５（ｍｍ）以下であることをいう。また、ロフト角度θに対するソケット部２０の長さＬ（ｍｍ）の分布を回帰直線で回帰したとき、ソケット部２０の長さＬ（ｍｍ）の推定誤差は絶対値で０．５（ｍｍ）以下であることをいう。絶対値で０．５（ｍｍ）以下とは、−０．５（ｍｍ）以上＋０．５（ｍｍ）以下であることをいう。推定誤差を上記範囲内にすることによって、打球時の衝撃をより一定にする（調和する）ことが可能になる。特に、推定誤差は絶対値で０．３（ｍｍ）以下であることがより好ましい。
その際、自然数Ｘの番号に対するソケット部２０の長さＬ（ｍｍ）の分布を回帰直線で回帰したとき、この回帰直線の傾きが−０．５（ｍｍ／番号）以下であることが好ましい。回帰直線の傾きは好ましくは−０．７（ｍｍ／番号）以下、更に好ましくは−１．０（ｍｍ／番号）以下である。また、傾きの下限は特に限定されないが、ゴルフクラブの外観的な要素を踏まえて−５．０（ｍｍ／番号）である。
【００２９】
また、ロフト角度θに対するソケット部２０の長さＬの分布を回帰直線で回帰したとき、この回帰直線の傾きが−０．１２５（ｍｍ／度）以下であることが好ましい。回帰直線の傾きは好ましくは−０．１７５（ｍｍ／度）以下、更に好ましくは−０．２５（ｍｍ／度）以下である。また、傾きの下限は特に限定されないが、ゴルフクラブの外観的な要素を踏まえて−１．２５（ｍｍ／度）である。
このように、ソケット部２０の長さを番手に対応して調整するのは、ゴルフクラブでゴルフボールを打球したときゴルファがグリップ１４から受ける衝撃を番手に拠らず一定とするためである。一般に、番手の小さいロングアイアンはショートアイアンに比べてロフト角度が小さいため、ゴルフボールを打球するときの衝撃は大きい。ソケット部２０は、この衝撃を緩和するように作用し、ソケット部２０の長さ（ソケット長さ）が長いほど大きく緩和する。本発明では、この衝撃を緩和するソケット部２０の長さを調整することで、ロングアイアンからショートアイアンにおいて、ゴルファがグリップ１４から受ける衝撃の差を小さくすることができる。
【００３０】
これに伴って、ホーゼル部１８の長さを、ロフト角度の小さい番手ほど短くすることが好ましい。一般的にロフト角度の小さいゴルフクラブは打球が上がりにくい印象があるため、ホーゼル長さを短くしてゴルフクラブシャフト１２の部分を長くすることによって、機能的にも心理的にも打球が上がりやすい印象を得ることが可能になる。特に本発明においては、ロフト角度の小さい番手ほどソケット部２０の長さを長くするため、心理的にはロフト角度が小さい番手ほど打球が上がりにくい印象を得る可能性が有る。そのような印象を相殺、もしくは解消するために、ロフト角度の小さい番手ほどホーゼル部１８の長さを短くすることが好ましい。
【００３１】
なお、ホーゼル部１８の長さＨ（ｍｍ）とは、図４に示すような、ゴルフクラブを通常のアドレスポジションに設定した状態の正面から見た図において、ホーゼル部１８の最高点の高さα（ｍｍ）、ライ角度をφ（°）とすると、（α／ｓｉｎφ）で表される。
ホーゼル部１８の長さＨ（ｍｍ）についても、ロフト角度が最小の番手から順番に１から始まる連続する自然数Ｘで表し、かつホーゼル長さをＨ（ｍｍ）とし、この群の全てのゴルフクラブについて、自然数Ｘの番号に対するホーゼル長さＨ（ｍｍ）の分布を回帰直線で回帰したとき、この回帰直線の傾きが０．６（ｍｍ／番号）以上であることが好ましい。又は、ロフト角度θに対するホーゼル長さＨ（ｍｍ）の分布を回帰直線で回帰したとき、この回帰直線の傾きが０．１５（ｍｍ／度）以上であることが好ましい。
【００３２】
本発明においては、ソケット部２０の長さを規定するが、ゴルフクラブセット中のソケット下部径は番手に拠らず一定、もしくは概ね一定であることが好ましい。概ね一定とはゴルフクラブセット中の最も大きいソケット下部径をＤ１（ｍｍ）、最も小さいソケット下部径をＤ２（ｍｍ）とすると、（Ｄ１−Ｄ２）の値が０．３ｍｍ以下であることを指す。ソケット下部径とは、ホーゼル部側の端部の径を指し、ソケット部２０とホーゼル部１８のつながった部分の径を測定することによって求まる。（Ｄ１−Ｄ２）の値が０．３ｍｍ以下であることによって、ソケット部２０の長さと質量の相関が高くなる。衝撃の吸収は、ソケット部２０の長さとの相関とともに、ソケット部２０の質量との相関も有るため、前記範囲内とすることが本発明の目的を達成するためにより好ましい。
【００３３】
ゴルフクラブセット１０における各ゴルフクラブのゴルフクラブシャフト１２は同一材料にて形成されることが好ましい。本発明において同一材料とは特に組成的に同一というような厳密な限定はしない。ゴルフクラブシャフト１２が金属製の場合、一般的な炭素鋼にメッキがされているスチールシャフトであれば、ブランド等異なっていても同一とする。また、ゴルフクラブシャフト１２が繊維強化樹脂製の場合、樹脂に炭素繊維が含浸されている形態であれば、樹脂又は炭素繊維の種類が異なっていても同一とする。
また、ゴルフクラブセットによっては、ロフト角度の小さい番手は、繊維強化樹脂製シャフトを、ロフト角度の大きい番手は、金属製のスチール製シャフトを用いる場合もある。
この場合、打球の衝撃を吸収しやすい繊維強化樹脂製シャフトを装着した番手のソケット長さを短くし、繊維強化樹脂製シャフトに比べて打球の衝撃を吸収しにくい金属製のスチール製シャフトを装着した番手のソケット長さを長くする等により、ゴルファが感じる衝撃の差を小さくすることができる。
【００３４】
また、本発明において、ゴルフクラブセット１０は、ロフト角度θが１８〜４１度の範囲に含まれるゴルフクラブを少なくとも３本以上有するが、ゴルフクラブセット１０を構成するゴルフクラブの全構成本数の上限は特に制限されない。しかし、ゴルフの競技規則で定められている携帯するゴルフクラブの制限本数１４本以下であることが好ましい。
【実施例】
【００３５】
以下、本発明の実施例について、本発明の範囲から外れる従来例と比較して具体的に説明する。
以下、下記表１〜１０に示す例１〜５，７，９（実施例）、例６（比較例）、及び例８，１０（従来例）として、ロフト角度が１８°〜４１°の範囲内に含まれるアイアン６本（ロフト角度が２０°、２４°、２８°、３２°、３６°、４０°）をアイアンゴルフクラブの群として用いた。下記表１〜１０には、これらのアイアンゴルフクラブセットにおける各番手のソケット長さＬ（ｍｍ）及びホーゼル長さＨ（ｍｍ）を示すとともに、表下側には、自然数の番号に対するソケット長さＬの回帰直線の推定式、ロフト角度に対するソケット長さＬの回帰直線の推定式、この回帰直線の推定誤差（ロフト角度に対するソケット長さＬの回帰直線の推定誤差と同じ）、自然数の番号に対するホーゼル長さＨの回帰直線の推定式、及び、ロフト角度に対するホーゼル長さＨの回帰直線の推定式を示している。
【００３６】
【表１】
2006254983.tif 000003
【００３７】
【表２】
2006254983.tif 000004
【００３８】
【表３】
2006254983.tif 000005
【００３９】
【表４】
2006254983.tif 000006
【００４０】
【表５】
2006254983.tif 000007
【００４１】
【表６】
2006254983.tif 000008
【００４２】
【表７】
2006254983.tif 000009
【００４３】
【表８】
2006254983.tif 000010
【００４４】
【表９】
2006254983.tif 000011
【００４５】
【表１０】
2006254983.tif 000012
【００４６】
例１〜７、例１０においては、ロフト角度が同一のものには、長さ、質量、および外径が同じゴルフクラブシャフトを用い、さらにグリップについても同じものを使用した。ロフト角度については高爾夫球頭測度台（昇峰企業社製）を用いて測定している。例８、９は、ゴルフクラブシャフトを繊維強化樹脂（ＦＲＰ）製シャフトとスチール製シャフトを用いたものである。
【００４７】
このようなゴルフクラブセットを用いて、ゴルファによる試打テストを行った。試打は、ゴルファ１００名によって行った。ゴルファは個々のゴルフクラブを打球し、１〜３点の下記いずれかに最も近いと考えられる項目の評点を与えた。各ゴルファが３球ずつ打球して評点した。
３点：衝撃が弱い（鈍い感触）
２点：衝撃が普通（普通の感触）
１点：衝撃が強い（鋭い感触）
以上の方法による評点の総合点を出し、この総合点によってゴルフクラブの打球時の感覚を評価した。満点は、３（評点の最高点）×３（各ゴルファの打球数）×１００（ゴルファの数）＝９００点である。
【００４８】
下記表１１は、上記方法により得られた例１〜１０の総合評点を示している。
さらに、下記表１２は、自然数の番号に対するソケット長さＬの回帰直線の傾き及びその推定誤差と、ロフト角度に対するソケット長さＬの回帰直線の傾き及びその推定誤差を示すとともに、各例における番手＃３〜＃８の総合評点の差（＃３〜＃８のうち総合評点の最高点と＃３〜＃８のうち総合評点の最低点との差）とその指数を求めるともに、自然数の番号に対する総合評点の回帰直線における推定誤差を求めた。
【００４９】
【表１１】
2006254983.tif 000013
【００５０】
【表１２】
2006254983.tif 000014
【００５１】
本発明においては、
（ａ）ソケット部２０の最長の長さと最短の長さの差が３ｍｍ以上あること、
（ｂ）自然数Ｘの番号に対するソケット部の長さＬ（ｍｍ）の分布を回帰直線で回帰したとき、回帰直線の傾きが−０．５（ｍｍ／番号）以下であること、
（ｃ）自然数Ｘに対するソケット部２０の長さＬ（ｍｍ）の分布を回帰直線で回帰したとき、ソケット部２０の長さＬ（ｍｍ）の推定誤差が０．５（ｍｍ）以下であること、
（ｄ）自然数Ｘの番号に対するホーゼル長さＨ（ｍｍ）の分布を回帰直線で回帰したとき、回帰直線の傾きが０．６（ｍｍ／番号）以上であること、
（ｅ）ロフト角度θに対するソケット部２０の長さＬ（ｍｍ）の分布を回帰直線で回帰したとき、回帰直線の傾きが−０．１２５（ｍｍ／度）以下であること、
（ｆ）ロフト角度に対するソケット部２０の長さＬ（ｍｍ）の分布を回帰直線で回帰したとき、ソケット部２０の長さＬ（ｍｍ）の推定誤差が０．５（ｍｍ）以下であること、
（ｇ）ロフト角度に対するホーゼル長さＨ（ｍｍ）の分布を回帰直線で回帰したとき、回帰直線の傾きが０．１５（ｍｍ／度）以上であること、を特徴とする。
【００５２】
例１、例３、例４及び例７は、上記（ａ）〜（ｇ）を満足するものであり、例２は（ａ）、（ｂ）、（ｃ）、（ｅ）、（ｆ）を満足するものである。例５は、（ａ）、（ｂ）、（ｄ）、（ｅ）、（ｇ）を満足するものであり、例６は（ａ）、（ｂ）、（ｅ）を満足しない比較例である。例８、９はゴルフクラブシャフトの種類が＃３〜＃５がＦＲＰ製シャフトであるのに対して、＃６〜＃８がスチール製シャフトである。
【００５３】
表１２に示す総合評点の差は、ゴルファが感じる番手毎の衝撃の差が大きいか小さいかを示し、総合評点の差が小さいほど、番手間で感じる衝撃の差が小さいことを意味する。
また、総合評点の推定誤差も小さいほど好ましい。
このときの総合評点の差の指数から明らかなように、従来例である例１０に対して、例１〜５、７においては指数で１０ポイント以上良好となっている。つまり、総合評点の差が従来例に比べて小さくなっていることがわかる。一方、例６（比較例）は（ａ）、（ｂ）、（ｅ）を満足しないため、例１０（従来例）と２ポイントしか変わらず、例１〜５、７との綜合評点の差も従来例と同様である。
又、例８、９を比較すると、ソケット長さに違いがある例９の方が総合評点の差の指数において１１ポイント良好であり、総合評点の差が小さくなっていることがわかる。これより、打球の衝撃を吸収しやすい繊維強化樹脂製シャフトを装着した番手のソケット長さは短くし、繊維強化樹脂製シャフトに比べて打球の衝撃を吸収しにくい金属製のスチール製シャフトを装着した番手のソケット長さは長くすることが好ましい。
また、（ｃ）及び（ｆ）を満足する例１〜４及び例７は、（ｃ）及び（ｆ）を満足しない例５に比べ、総合評点における推定誤差の幅が小さい。推定誤差が小さいということは、結果的に番手によって異なる打球時の感覚を従来に比べてより調和させることができることを意味する。すなわち、番手によらず打球時の感覚を一定にすることは困難であるが、例えば、打撃の大きさをロフト角度の順番に変化させる（調和させる）ようにすることが、打撃の大きさがまちまちであることに比べて好ましい。このような点より総合評点の推定誤差が小さい例１〜４及び例７は、例５より好ましい。これより、（ｃ）及び（ｆ）における推定誤差は０．５（ｍｍ）以下であることが好ましい。
【００５４】
以上、本発明のゴルフクラブセットについて詳細に説明したが、本発明は上記実施形態に限定されず、本発明の主旨を逸脱しない範囲において、種々の改良や変更をしてもよいのはもちろんである。
【図面の簡単な説明】
【００５５】
【図１】本発明の実施形態に係るゴルフクラブセットの一例であるゴルフクラブセットを示す模式図である。
【図２】本発明のゴルフクラブセットの各ゴルフクラブヘッドのロフト角度を測定する測定器の概略斜視図である。
【図３】図２に示す測定器の要部を説明する説明図である。
【図４】図２に示す測定器でロフト角度を測定する方法を説明する他の説明図である。
【図５】図２に示す測定器でロフト角度を測定する方法を説明する他の説明図である。
【図６】図２に示す測定器でロフト角度を測定する方法を説明する他の説明図である。
【符号の説明】
【００５６】
１０  ゴルフクラブセット
１２  ゴルフクラブシャフト
１４  グリップ
１６  ゴルフクラブヘッド
１８  ホーゼル部
２０  ソケット部
２２  フェース面
３０  ロフト角度測定器
４０  分度器
【図１】
2006254983.tif 000015
【図２】
2006254983.tif 000016
【図３】
2006254983.tif 000017
【図４】
2006254983.tif 000018
【図５】
2006254983.tif 000019
【図６】
2006254983.tif 000020